(57)【要約】【課題】換気モジュール及び空気調和機を提供することを課題とする。【解決手段】本発明は、換気モジュール及び空気調和機を開示する。換気モジュールは、換気風路及び前記換気風路に連通する取付口が形成されたハウジングと、フィルタ支持体と前記フィルタ支持体に取り付けられるフィルタとを含み、前記取付口から前記換気風路に摺動可能に取り付けられるフィルタ組立体と、を含む。【選択図】  図１
2021517627.tif 000002
【特許請求の範囲】
【請求項１】
換気風路及び前記換気風路に連通する取付口が形成されたハウジングと、
フィルタ支持体と、前記フィルタ支持体に取り付けられるフィルタとを含み、前記取付口から前記換気風路に摺動可能に取り付けられるフィルタ組立体と、
を含む、換気モジュール。
【請求項２】
前記フィルタ支持体は、一端に位置する蓋部を含み、前記蓋部が前記取付口を覆う、請求項１に記載の換気モジュール。
【請求項３】
前記蓋部の周縁は、外側に延びて環状フランジを形成し、前記ハウジングに突起リブが設けられ、前記突起リブは前記取付口の周方向に沿って延びて環状を呈し、前記環状フランジの前記フィルタに面する表面が前記突起リブと当接する、請求項２に記載の換気モジュール。
【請求項４】
前記ハウジングに窪み溝が設けられ、前記取付口は前記窪み溝に設けられ、前記蓋部は前記窪み溝に位置し、前記蓋部の少なくとも一方側が前記窪み溝の溝壁から離間して配置されることで引抜き用の隙間を形成する、請求項２に記載の換気モジュール。
【請求項５】
前記フィルタ支持体は、前記フィルタ外周面に周設された枠体を含み、前記蓋部が前記枠体の一部を構成する、請求項２に記載の換気モジュール。
【請求項６】
前記蓋部の前記フィルタから離れた表面にハンドル部が設けられる、請求項２に記載の換気モジュール。
【請求項７】
前記フィルタ支持体は、互いに連結された枠体と位置制限部とを備え、前記枠体は前記フィルタの外周面に周設され、対向配置された取付用開放口と固定用開放口とを備え、前記フィルタは前記取付用開放口から前記フィルタ支持体に組み込まれ、前記位置制限部は前記固定用開放口に位置すると共に前記フィルタに当接する、請求項１に記載の換気モジュール。
【請求項８】
前記位置制限部は、前記フィルタ支持体の周方向に沿って延びる位置制限枠を含み、及び／或いは、前記位置制限部は、前記枠体の対向する両側に架設された位置制限リブを含む、請求項７に記載の換気モジュール。
【請求項９】
前記フィルタ支持体に切欠部が設けられ、前記切欠部は前記取付用開放口がある側に位置する、請求項７に記載の換気モジュール。
【請求項１０】
前記フィルタ支持体と前記換気風路の内壁のうち、一方に留め具が設けられ、他方に前記留め具と係合する留め溝が設けられ、或いは、
前記フィルタ支持体と前記換気風路の内壁のうち、一方に弾性押し具が設けられ、他方に前記弾性押し具と嵌合する嵌合具が設けられ、前記フィルタ支持体が内側に押されて移動される時、前記弾性押し具が圧縮状態にあると共に前記嵌合具に嵌合し、前記フィルタ支持体に再度外力が加えられると、前記弾性押し具が続けて圧縮され、前記フィルタ支持体に加える外力を除去した時、前記弾性押し具が元に戻り、かつ前記嵌合具から離脱することで、前記フィルタ支持体が前記ハウジングから押し出される、請求項１に記載の換気モジュール。
【請求項１１】
前記取付口は、前記換気モジュールの前側に位置する、請求項１に記載の換気モジュール。
【請求項１２】
前記ハウジングは、前記換気風路に連通する換気吹出口を備え、前記換気吹出口は前記ハウジングの前側面に設けられる、請求項１に記載の換気モジュール。
【請求項１３】
前記フィルタは、ＡＢＳフィルタ、ＨＥＰＡフィルタ、活性炭フィルタ或いは光触媒フィルタのうち、いずれか１種又は２種以上の組み合わせを含む、請求項１に記載の換気モジュール。
【請求項１４】
換気モジュールを含み、
前記換気モジュールは、
換気風路及び前記換気風路に連通する取付口が形成されたハウジングと、
フィルタ支持体と前記フィルタ支持体に取り付けられるフィルタとを含み、前記取付口から前記換気風路に摺動可能に取り付けられるフィルタ組立体と、
を含む空気調和機。
【請求項１５】
前記フィルタ支持体は、一端に位置する蓋部を含み、前記蓋部が前記取付口を覆う、請求項１４に記載の空気調和機。
【請求項１６】
前記フィルタ支持体は、前記フィルタ外周面に周設された枠体を含み、前記蓋部が前記枠体の一部を構成する、請求項１５に記載の空気調和機。
【請求項１７】
前記フィルタ支持体は、互いに連結された枠体と位置制限部とを備え、前記枠体は前記フィルタの外周面に周設され、対向配置された取付用開放口と固定用開放口とを備え、前記フィルタは前記取付用開放口から前記フィルタ支持体に組み込まれ、前記位置制限部は前記固定用開放口に位置すると共に前記フィルタに当接する、請求項１４に記載の空気調和機。
【請求項１８】
前記位置制限部は、前記フィルタ支持体の周方向に沿って延びる位置制限枠を含み、及び／或いは、前記位置制限部は、前記枠体の対向する両側に架設された位置制限リブを含む、請求項１７に記載の空気調和機。
【請求項１９】
壁掛形室内機を含み、前記壁掛形室内機は熱交換モジュールを更に含み、前記換気モジュール及び前記熱交換モジュールは横方向に沿って配置され、かつ前記換気モジュールは前記壁掛形室内機の端部に設けられる、請求項１４に記載の空気調和機。
【請求項２０】
パネルフレームと前面パネルとを含み、前記前面パネルは前記パネルフレームの前面に面する開放口に覆設され、前記取付口を遮蔽し、前記換気モジュールは前記パネルフレームに取り付けられる、請求項１４に記載の空気調和機。
【発明の詳細な説明】
【技術分野】
【０００１】
本願は、「換気モジュール及び空気調和機」と題し、２０１９年３月３日に出願された、中国特許出願番号第２０１９２０２６７８６５．２号の優先権を主張し、その全内容は、引用により本明細書に組み込まれる。
【０００２】
本発明は、空気調節装置技術分野に関し、特に、換気モジュール及び空気調和機に関する。
【背景技術】
【０００３】
換気モジュールを備えた空気調和機について、一般的に換気モジュール内にフィルタを設けることで、室外から入ってきた空気をろ過している。一般に、フィルタは、換気モジュールの取り付け穴内に直接取り付けられ、フィルタ自体の素材が比較的柔らかく、且つフィルタを引き抜く時、フィルタが他の部材と衝突するため、フィルタが容易に変形して破損する。
【発明の概要】
【発明が解決しようとする課題】
【０００４】
本発明は、フィルタが衝突により破損することを防ぐための換気モジュールを提供することを主な目的とする。
【課題を解決するための手段】
【０００５】
上記目的を達成するため、本発明に係る換気モジュールは、
換気風路及び前記換気風路に連通する取付口が形成されたハウジングと、
フィルタ支持体と、前記フィルタ支持体に取り付けられるフィルタとを含み、前記取付口から前記換気風路に摺動可能に取り付けられるフィルタ組立体と、
を含む。
【０００６】
好ましくは、前記フィルタ支持体は、一端に位置する蓋部を含み、前記蓋部が前記取付口を覆う。
【０００７】
好ましくは、前記蓋部の周縁は外側に延びて環状フランジを形成し、前記ハウジングに突起リブが設けられ、前記突起リブは前記取付口の周方向に沿って延びて環状を呈し、前記環状フランジの前記フィルタに面する表面が前記突起リブと当接する。
【０００８】
好ましくは、前記ハウジングに窪み溝が設けられ、前記取付口は前記窪み溝に設けられ、前記蓋部は前記窪み溝に位置し、前記蓋部の少なくとも一方側が前記窪み溝の溝壁から離間して配置されることで引抜き用の隙間を形成する。
【０００９】
好ましくは、前記フィルタ支持体は、前記フィルタ外周面に周設された枠体を含み、前記蓋部が前記枠体の一部を構成する。
【００１０】
好ましくは、前記蓋部の前記フィルタから離れた表面にハンドル部が設けられる。
【００１１】
好ましくは、前記フィルタ支持体は、互いに連結された枠体と位置制限部とを備え、前記枠体は前記フィルタの外周面に周設され、対向配置された取付用開放口と固定用開放口とを備え、前記フィルタは前記取付用開放口から前記フィルタ支持体に組み込まれ、前記位置制限部は前記固定用開放口に位置すると共に前記フィルタに当接する。
【００１２】
好ましくは、前記位置制限部は、前記フィルタ支持体の周方向に沿って延びる位置制限枠を含み、及び／或いは、前記位置制限部は、前記枠体の対向する両側に架設された位置制限リブを含む。
【００１３】
好ましくは、前記フィルタ支持体に切欠部が設けられ、前記切欠部は前記取付用開放口がある側に位置する。
【００１４】
好ましくは、前記フィルタ支持体と前記換気風路の内壁のうち、一方に留め具が設けられ、他方に前記留め具と係合する留め溝が設けられ、或いは、
前記フィルタ支持体と前記換気風路の内壁のうち、一方に弾性押し具が設けられ、他方に前記弾性押し具と嵌合する嵌合具が設けられ、前記フィルタ支持体が内側に押されて移動される時、前記弾性押し具が圧縮状態にあると共に前記嵌合具に嵌合し、前記フィルタ支持体に再度外力が加えられると、前記弾性押し具が続けて圧縮され、前記フィルタ支持体に加える外力を除去した時、前記弾性押し具が元に戻り、かつ前記嵌合具から離脱することで、前記フィルタ支持体が前記ハウジングから押し出される。
【００１５】
好ましくは、前記取付口は、前記換気モジュールの前側に位置する。
【００１６】
好ましくは、前記ハウジングは、前記換気風路に連通する換気吹出口を備え、前記換気吹出口は前記ハウジングの前側面に設けられる。
【００１７】
好ましくは、前記フィルタは、ＡＢＳフィルタ、ＨＥＰＡフィルタ、活性炭フィルタ或いは光触媒フィルタのうち、いずれか１種又は２種以上の組み合わせを含む。
【００１８】
本発明は換気モジューを含む空気調和機を更に提供し、換気モジュールは、換気風路及び前記換気風路に連通する取付口が形成されたハウジングと、フィルタ支持体と前記フィルタ支持体に取り付けられるフィルタとを含み、前記取付口から前記換気風路に摺動可能に取り付けられるフィルタ組立体と、を含む。
【００１９】
好ましくは、前記フィルタ支持体は、一端に位置する蓋部を含み、前記蓋部が前記取付口を覆う。
【００２０】
好ましくは、前記フィルタ支持体は、前記フィルタ外周面に周設された枠体を含み、前記蓋部が前記枠体の一部を構成する。
【００２１】
好ましくは、前記フィルタ支持体は、互いに連結された枠体と位置制限部とを備え、前記枠体は前記フィルタの外周面に周設され、対向配置された取付用開放口と固定用開放口とを備え、前記フィルタは前記取付用開放口から前記フィルタ支持体に組み込まれ、前記位置制限部は前記固定用開放口に位置すると共に前記フィルタに当接する。
【００２２】
好ましくは、前記位置制限部は、前記フィルタ支持体の周方向に沿って延びる位置制限枠を含み、及び／或いは、前記位置制限部は、前記枠体の対向する両側に架設された位置制限リブを含む。
【００２３】
好ましくは、前記空気調和機は、壁掛形室内機を含み、前記壁掛形室内機は熱交換モジュールを更に含み、前記換気モジュール及び前記熱交換モジュールは横方向に沿って配置され、かつ前記換気モジュールは前記壁掛形室内機の端部に設けられる。
【００２４】
好ましくは、前記空気調和機は、パネルフレームと前面パネルとを含み、前記前面パネルは前記パネルフレームの前面に面する開放口に覆設され、前記取付口を遮蔽し、前記換気モジュールは前記パネルフレームに取り付けられる。
【発明の効果】
【００２５】
本発明において、フィルタ支持体が追加され、フィルタをフィルタ支持体に取り付けることでフィルタ組立体が形成され、フィルタ支持体によりフィルタ組立体全体の強度をより大きくさせることで、引き抜く時、フィルタ組立体が他の部材と衝突したとしても、フィルタが変形して破損することを大幅に減らすことができる。
【００２６】
以下、本発明の実施形態又は従来技術内の技術的手段を明確に説明するため、実施形態又は従来技術の描写中に使用する必要がある図面を簡単に説明する。以下に描写する図面は、僅か本発明の幾つかの実施形態であり、当業者にとって格別の創意工夫を要すものではないとして、それら図面に示す構造に基づいてその他の図面を得ることができる。
【図面の簡単な説明】
【００２７】
【図１】本発明の一実施例に係る空気調和機の構造を示す模式図である。
【図２】図１におけるフィルタ組立体の構造を示す模式図である。
【図３】図１における空気調和機の正面図である。
【図４】図３における空気調和機のＡ−Ａ線に沿った断面図である。
【図５】図４における部位Ｂの拡大図である。
【図６】図３における空気調和機のＣ−Ｃ線に沿った断面図である。
【図７】図６における部位Ｄの拡大図である。
【図８】図６における部位Ｅの拡大図である。
【図９】図２におけるフィルタ支持体の構造を示す模式図である。
【図１０】図９におけるフィルタ支持体の上面図である。
【図１１】図９におけるフィルタ支持体の正面図である。
【図１２】図１における空気調和機の弾性押し具と嵌合具の構造を示す模式図である。
【発明を実施するための形態】
【００２８】
本発明の目的の達成、機能・特徴及び利点について、図面を基に実施形態を組み合わせて更なる説明を行う。
【００２９】
ここで言及すべき点は、本発明の実施形態において、用語「上」、「下」、「左」、「右」、「前」、「後」などが示した方位は、単に特定の様子（図面に示される通り）における各要素間の相対的な位置関係、配向についての説明を容易にするために用いられ、図面に描かれている当該特定の様子に変更があった場合、該方位も伴って変更される。
【００３０】
本発明は、換気モジュールを提案する。
【００３１】
本発明の実施形態において、図１から図５に示すように、換気モジュール４０は、換気風路１１及び換気風路１１に連通する取付口１２が形成されたハウジング１０と、フィルタ支持体２１と、フィルタ支持体２１に取り付けられるフィルタ２２とを含み、取付口１２から換気風路１１に摺動可能に取り付けられるフィルタ組立体２０と、を含む。
【００３２】
本実施形態において、ハウジング１０は、換気吸込口と換気吹出口１３とを備え、換気吸込口が室外に連通し、換気吹出口１３が室内に連通し、換気風路１１が換気吸込口と換気吹出口１３を連通することで、外気を室内に取り入れる。好ましくは、換気吹出口１３は、ハウジング１０の前側面に設けられ、風を前側に向けて吹き出すことで、利用者に直感的に風を感じさせることができる。また、フィルタ組立体２０は、取付口１２から換気風路１１内に摺動可能に取り付けられる。フィルタ組立体２０が摺動するために、換気風路１１の内壁に摺動溝が設けられ、かつ摺動溝がフィルタ組立体２０を案内及び位置制限できる。摺動溝は、換気風路１１内壁に設けられた支持突起で形成され、支持突起がフィルタ組立体２０の底部を支持し、或いは摺動溝は換気風路１１内壁に設けられた凹溝である。
【００３３】
フィルタ２２は、ＡＢＳフィルタ、ＨＥＰＡフィルタ、活性炭フィルタ或いは光触媒フィルタ等のうち、いずれか１種又は２種以上の組み合わせであってもよい。フィルタ２２は、換気風路１１の断面に適した形状を呈することで、換気風路１１をより良く隔離させ、換気風路１１内に入ってくるすべての外気がフィルタ２２によりろ過されることを確保する。例えば、フィルタ２２は、ほぼ方形を呈してもよい。
【００３４】
フィルタ支持体２１は、様々な形態を有しており、例えば、一実施形態において、フィルタ支持体２１はほぼ枠状を呈し、フィルタ２２の外周面に周設される。一実施形態において、フィルタ支持体２１は格子状を呈すと共にフィルタ２２の一方のろ過表面を支持する。一実施形態において、フィルタ支持体２１は、中空箱状を呈し、フィルタ２２がフィルタ支持体２１内に組み込まれる。
【００３５】
本発明において、フィルタ支持体２１が追加され、フィルタ２２をフィルタ支持体２１に取り付けることでフィルタ組立体２０が形成され、フィルタ支持体２１によりフィルタ組立体２０全体の強度をより大きくさせることで、引き抜く時、フィルタ組立体２０が他の部材と衝突したとしても、フィルタ２２が変形して破損することを大幅に減らすことができる。
【００３６】
従来、ハウジング１０にカバー板が回転可能に設けられ、フィルタ２２が所定の位置に設置された後、カバー板の回転により、取付口１２を覆う。しかしながら、カバー板を回転可能に取り付けるため、取付口１２の縁部との間に必然的に比較的大きな取付け隙間ができ、その取り付け隙間に塵が堆積しやすい。上記問題点を解決するため、本発明の一実施形態において、フィルタ支持体２１は、一端に位置する蓋部２１２を含み、蓋部２１２が取付口１２を覆う。フィルタ組立体２０は、引き抜き形態でハウジング１０と嵌合するため、蓋部２１２がハウジング１０と密着しても、フィルタ組立体２０の引き抜きに影響を及ぼさない。よって、蓋部２１２とハウジング１０との間に隙間を確保する必要がなく、組み付け時、フィルタ組立体２０を内側に押すことと、蓋部２１２とハウジング１０とが密着できることにより、前記取付口１２を覆うことができ、隙間がなくなる。本実施形態において、蓋部２１２はほぼ板状を呈する。
【００３７】
図９を参照すると、一実施形態において、蓋部２１２は、フィルタ２２の一端に位置し、具体的に言えば、フィルタ支持体２１はフィルタ２２の外周面に周設された枠体２１１を含み、蓋部２１２は枠体２１１の一部を構成する。本実施例において、枠体２１１の一部構造は、蓋部２１２となるため、全体構造を簡素化させることができ、別個の蓋部２１２を追加で設置する必要もない。他の実施形態において、蓋部２１２は枠体２１１の上に追加で増設されたストッパー板でもよい。覆う効果をより高めるため、一実施形態において、蓋部２１２の周縁が外側に延びて一周の環状フランジ２１２１を形成し、環状フランジ２１２１が取付口１２の周縁を突き出るように設けられることで、取付口１２を完全に覆うことを保証できる。
【００３８】
図５、図６及び図７を参照すると、一実施形態において、ハウジング１０に突起リブ１４が設けられ、突起リブ１４は前記取付口１２の周方向に沿って延びて環状を呈し、環状フランジ２１２１のフィルタ２２に面する表面は前記突起リブ１４に当接する。突起リブ１４の設置を通じて、蓋部２１２とハウジング１０との接触面積を減らすことができ、接触面積を小さくすることにより、蓋部２１２の各部位を突起リブ１４に密着させることで、密封効果を向上させられる。
【００３９】
一実施形態において、ハウジング１０に窪み溝１５が設けられ、取付口１２は窪み溝１５に設けられ、蓋部２１２は窪み溝１５に位置し、蓋部２１２の少なくとも一方側が窪み溝１５の溝壁から離間して配置されることで引抜き用の隙間１６を形成し、前記引抜き用の隙間１６に手又は工具を差し入れて蓋部２１２上に作用させ、フィルタ組立体２０を引き出すことができる。また、窪み溝１５を設けると共に蓋部２１２を窪み溝１５内に置かれる場合に、蓋部２１２が突起することで空気調和機のパネルの取付けへの影響を避けることができ、すなわち、蓋部２１２とパネルとの間の干渉を避けることができる。一実施形態において、蓋部２１２のフィルタ２２から離れた表面にハンドル部を設けて、利用者が容易に操作できるようにするため、ハンドル部を凹溝又は突起にしてもよい。
【００４０】
本発明の実施形態において、フィルタ組立体２０が緩み落ちることを避けるため、フィルタ組立体２０と換気風路１１の内壁との間に固定構造が設けられ、固定構造はフィルタ組立体２０を換気風路１１の内壁に固定する。固定構造は、例えばスナップフィット構造或いは弾性ノックなどの様々な形式がある。
【００４１】
図８を参照すると、一実施形態において、フィルタ支持体２１と換気風路１１の内壁のうち、一方に留め具２１３が設けられ、他方に留め具２１３と係合する留め溝１７が設けられる。例えば、フィルタ支持体２１に留め具２１３が設けられ、換気風路１１の内壁に留め溝１７が設けられ、留め具２１３が留め溝１７内に係合することにより、フィルタ支持体２１が換気風路１１から脱落することを防止する。具体的に言えば、フィルタ支持体２１の対向する両側壁にそれぞれ留め具２１３を設けることで、フィルタ支持体２１が受ける力のバランスよくし、係合効果もより良くさせることができる。
【００４２】
図１２を参照すると、一実施形態において、フィルタ支持体２１と換気風路１１の内壁のうち、一方に弾性押し具２１７が設けられ、他方に弾性押し具２１７と嵌合する嵌合具１８が設けられ、フィルタ支持体２１が内側に押されて移動される時、弾性押し具２１７が圧縮状態にあると共に嵌合具１８に嵌合し、フィルタ支持体２１に再度外力が加えられると、弾性押し具２１７が続けて圧縮され、フィルタ支持体２１に加える外力を除去した時、弾性押し具２１７が元に戻り、かつ嵌合具１８から離脱することで、フィルタ支持体２１がハウジング１０から押し出される。本実施例の弾性押し具２１７と嵌合具１８を組み合わせてノック構造を形成し、フィルタ組立体２０を押すと、フィルタ組立体２０がノックボタンの作用で飛び出し、もう一度フィルタ組立体２０を押すと、フィルタ組立体２０がノックボタンの作用で換気風路１１の内壁と緊合し、そのノック構造がボールペン上のノック構造に類似する。
【００４３】
図９から図１１を参照すると、フィルタ２２の抜け落ちを防止するため、一実施形態において、フィルタ支持体２１は、互いに連結された枠体２１１と位置制限部２１４とを備え、枠体２１１がフィルタ２２の外周面に周設され、対向配置された取付用開放口２１６と固定用開放口２１７とを備え、フィルタ２２は取付用開放口２１６からフィルタ支持体２１に組み込まれ、位置制限部２１４は固定用開放口２１７に位置すると共にフィルタ２２に当接する。取り付け時、取付用開放口２１６は、上側に向いており、固定用開放口２１７は下側に向いており、前記位置制限部２１４がフィルタ２２の底面を支えているに等しいことから、フィルタ２２の落下を防止でき、かつ位置制限部２１４も構造の強化作用を図り、フィルタ支持体２１の変形を減らすことができる。
【００４４】
具体的に言えば、一実施形態において、位置制限部２１４はフィルタ支持体２１の周方向に沿って延びる位置制限枠２１４１を含み、こうしてフィルタ２２の底面に沿った一周りが位置制限部２１４によって支持されるようにし、支持効果がより高くなる。一実施形態において、位置制限部２１４は枠体２１１の対向する両側に架設された位置制限リブ２１４２を含み、前記位置制限リブ２１４２がほぼ枠体２１１の中央部に位置し、フィルタ２２の中間部を支持する。一実施形態において、位置制限部２１４は、フィルタ支持体２１の周方向に沿って延びる位置制限枠２１４１を含み、また枠体２１１の対向する両側に架設された位置制限リブ２１４２を更に含む。
【００４５】
フィルタ２２の取り出しを容易にするため、一実施形態において、フィルタ支持体２１に切欠部２１５が設けられ、切欠部２１５は取付用開放口２１６がある側に位置する。具体的に言えば、切欠部２１５が枠体２１１に設けられるため、フィルタ２２を切欠部２１５からフィルタ支持体２１外に露出させることができ、利用者とフィルタ２２とが接触面積を増加させ、フィルタ２２の取り出しを容易になる。好ましくは、枠体２１１の対向する両側にそれぞれ切欠部２１５が設けられ、フィルタ２２の対向する両側が力を受けることで取り出すことができる。
【００４６】
フィルタ組立体２０の取り出しを容易にするため、一実施形態において、取付口１２が換気モジュール４０の前側に位置する。通常、前側は利用者に面しており、かつ前側が壁体により遮蔽されないため、取付口１２を前側に設けることで、利用者がフィルタ組立体２０を容易に操作することができる。
【００４７】
本発明は、空気調和機を更に提案し、前記空気調和機は換気モジュール４０と熱交換モジュール５０とを含み、前記換気モジュール４０の具体的な構造については上記実施形態を参照する。この空気調和機は以上に述べた全ての実施形態の全技術的手段を採用するため、上記実施形態の技術的手段がもたらす全ての有利な効果を少なくとも持っているので、ここではこれ以上説明しない。そのうち、熱交換モジュール５０は、室内熱交換器、ファン等の構成要素を含む。図１における破線の一方側の部分が換気モジュール４０であり、反対側の部分が熱交換モジュール５０である。
【００４８】
一実施形態において、空気調和機は、壁掛形室内機を含み、換気モジュール４０は壁掛形室内機の端部に設けられ、すなわち、前記換気モジュール４０と熱交換モジュール５０は横方向に沿って配置される。一実施形態において、換気モジュール４０は、壁掛形室内機の上側又は下側等に位置し、熱交換モジュール５０と縦方向に沿って配置されてもよい。また、空気調和機は、床置型機或いは一体型機などであってもよい。
【００４９】
空気調和機は、パネルフレーム３０と前面パネル（図示せず）とを含み、換気モジュール４０はパネルフレーム３０に取り付けられ、前面パネルはパネルフレーム３０の前面に面する開放口に覆設され、取付口１２を遮蔽し、取付口１２が外部に露出することを避けるため、前面パネルを開くことによってフィルタ組立体２０を取り出すことができる。
【００５０】
本発明では好ましい実施例を前述の通り開示したが、これらは決して本発明を限定するものではなく、本発明の明細書及び図面を利用して均等の範囲内で各種の変更や修飾、若しくは直接的又は間接的にその他の関連の技術分野に運用されることは、本発明の特許保護範囲内に含めるものであるのは勿論である。
【符号の説明】
【００５１】
１０  ハウジング
１１  換気風路
１２  取付口
１３  換気吹出口
１４  突起リブ
１５  窪み溝
１６  引抜き用の隙間
１７  留め溝
１８  嵌合具
２０  フィルタ組立体
２１  フィルタ支持体
２１１  枠体
２１２  蓋部
２１２１  環状フランジ
２１３  留め具
２１４  位置制限部
２１４１  位置制限枠
２１４２  位置制限リブ
２１５  切欠部
２１６  取付用開放口
２１７  弾性押し具
２１７  固定用開放口
２２  フィルタ
３０  パネルフレーム
４０  換気モジュール
５０  熱交換モジュール
【図１】
2021517627.tif 000003
【図２】
2021517627.tif 000004
【図３】
2021517627.tif 000005
【図４】
2021517627.tif 000006
【図５】
2021517627.tif 000007
【図６】
2021517627.tif 000008
【図７】
2021517627.tif 000009
【図８】
2021517627.tif 000010
【図９】
2021517627.tif 000011
【図１０】
2021517627.tif 000012
【図１１】
2021517627.tif 000013
【図１２】
2021517627.tif 000014
【国際調査報告】
2021517627.tif 000015
2021517627.tif 000016
2021517627.tif 000017
2021517627.tif 000018
2021517627.tif 000019